(57)【要約】      （修正有）【課題】高品質な画像が得られるＭＲＩシステムを提供する。【解決手段】デジタル信号処理手段２３５を、スキャンルーム１０の外部に配された信号処理装置に備え、一方、アナログ信号処理手段１３１を、スキャンルーム１０に配されたＭＲＩ装置に備える。受信コイル１２からのアナログ電気信号A1〜Anは、信号処理装置に伝送される前に、アナログ信号処理される。したがって、デジタル信号処理手段２３５から発生するノイズは、アナログ信号処理手段１３１で処理されるアナログ信号に混入しにくくなり、高品質なＭＲ画像を得ることができる。【選択図】図２
2009261700.tif 000002
【特許請求の範囲】
【請求項１】
スキャンルームに配され、被検体からのＭＲ信号を光信号として出力するＭＲＩ装置と、前記光信号を伝送する第１の光ケーブルと、前記スキャンルームの外部に配され、前記第１の光ケーブルによって伝送された光信号を処理する信号処理装置と、を有するＭＲＩシステムであって、
前記ＭＲＩ装置は、
前記被検体からのＭＲ信号を受信し、受信したＭＲ信号をアナログ電気信号として出力する受信コイルと、
前記アナログ電気信号をアナログ信号処理するアナログ信号処理手段と、
前記アナログ信号処理手段によってアナログ信号処理された前記アナログ電気信号を、光信号に変換する電気/光コンバータ手段と
前記光信号を多重化し、多重化した前記光信号を前記第１の光ケーブルに出力する多重化手段と、
を有し、
前記信号処理装置は、
前記第１の光ケーブルによって伝送された前記光信号を多重分離する多重分離手段と、
前記多重分離手段によって多重分離された前記光信号をアナログ電気信号に変換する光/電気コンバータ手段と、
前記光/電気コンバータ手段からの前記アナログ電気信号を、デジタル電気信号に変換するＡＤコンバータ手段と、
前記デジタル電気信号をデジタル信号処理するデジタル信号処理手段と、
を有する、ＭＲＩシステム。
【請求項２】
前記アナログ信号処理手段は、前記アナログ電気信号の各々をアナログ信号処理するアナログ信号処理部を有する、
請求項１に記載のＭＲＩシステム。
【請求項３】
前記アナログ信号処理部は、
前記アナログ電気信号のゲインを調整するゲイン調整部と、
前記ゲイン調整部によってゲインが調整されたアナログ電気信号をフィルタ処理するフィルタと、
前記ゲイン調整部と前記フィルタとを電気的に接続又は分離するスイッチと、
を有する、請求項２に記載のＭＲＩシステム。
【請求項４】
前記アナログ信号処理手段を制御する制御手段を有する、請求項１〜３のうちのいずれか一項に記載のＭＲＩシステム。
【請求項５】
前記制御手段は、前記アナログ信号処理手段を制御する複数ビットのデジタル電気制御信号を生成する制御信号生成部を有する、請求項４に記載のＭＲＩシステム。
【請求項６】
前記制御信号生成部は、前記デジタル電気制御信号の複数ビットをシリアルで出力する、請求項５に記載のＭＲＩシステム。
【請求項７】
前記制御手段は、前記制御信号生成部が出力したシリアルの前記複数ビットをパラレルに変換するシリアル/パラレル変換部を有する、請求項６に記載のＭＲＩシステム。
【請求項８】
前記制御手段は、
前記デジタル電気制御信号を光信号に変換する制御信号用電気/光コンバータ部と、
前記制御信号用電気/光コンバータ部からの光信号を前記デジタル電気制御信号に変換する制御信号用光/電気コンバータ部と、
を有する、請求項５〜７のうちのいずれか一項に記載のＭＲＩシステム。
【請求項９】
前記制御信号用電気/光コンバータ部からの光信号を、前記制御信号用光/電気コンバータ部に伝送する第２の光ケーブルを有する、請求項８に記載のＭＲＩシステム。
【請求項１０】
前記第１の光ケーブルは、双方向に光信号を伝送することが可能な双方向光ケーブルであり、
前記制御信号用電気/光コンバータ部からの光信号は、前記双方向光ケーブルを介して前記制御信号用光/電気コンバータ部に伝送される、請求項８に記載のＭＲＩシステム。
【請求項１１】
前記デジタル電気制御信号は、前記スイッチが前記ゲイン調整部と前記フィルタとを電気的に接続又は分離するためのスイッチ信号である、請求項５〜１１のうちのいずれか一項に記載のＭＲＩシステム。
【発明の詳細な説明】
【技術分野】
【０００１】
本発明は、受信コイルが受信したＭＲ信号を光信号に変換するＭＲＩシステムに関する。
【背景技術】
【０００２】
近年、ＭＲＩ装置の受信コイルの受信チャンネル数は増加している。したがって、受信コイルの各チャンネルで受信したＭＲ信号を伝送するためのケーブル本数は増大し、布線作業の煩雑化や、それに伴うコスト増という問題がある。この問題を解決するために、光ケーブルを使った方法が提案されている（特許文献１参照）。
【特許文献１】特開２００８−１８１９０
【発明の開示】
【発明が解決しようとする課題】
【０００３】
しかし、特許文献の方法では、データ収集部で発生したノイズが電気信号に混入し、再構成された画像が劣化するという問題がある。
【０００４】
本発明は、上記の事情に鑑み、高品質な画像が得られるＭＲＩ装置を提供することを目的とする。
【課題を解決するための手段】
【０００５】
上記の問題を解決する本発明のＭＲＩ装置は、
スキャンルームに配され、被検体からのＭＲ信号を光信号として出力するＭＲＩ装置と、上記光信号を伝送する第１の光ケーブルと、上記スキャンルームの外部に配され、上記第１の光ケーブルによって伝送された光信号を処理する信号処理装置と、を有するＭＲＩシステムであって、
上記ＭＲＩ装置は、
上記被検体からのＭＲ信号を受信し、受信したＭＲ信号をアナログ電気信号として出力する受信コイルと、
上記アナログ電気信号をアナログ信号処理するアナログ信号処理手段と、
上記アナログ信号処理手段によってアナログ信号処理された上記アナログ電気信号を、光信号に変換する電気/光コンバータ手段と
上記光信号を多重化し、多重化した上記光信号を上記第１の光ケーブルに出力する多重化手段と、
を有し、
上記信号処理装置は、
上記第１の光ケーブルによって伝送された上記光信号を多重分離する多重分離手段と、
上記多重分離手段によって多重分離された上記光信号をアナログ電気信号に変換する光/電気コンバータ手段と、
上記光/電気コンバータ手段からの上記アナログ電気信号を、デジタル電気信号に変換するＡＤコンバータ手段と、
上記デジタル電気信号をデジタル信号処理するデジタル信号処理手段と、
を有している。
【発明の効果】
【０００６】
本発明では、デジタル信号処理手段は、スキャンルームの外部に配された信号処理装置に備えられ、一方、アナログ信号処理手段は、スキャンルームに配されたＭＲＩ装置に備えられている。したがって、デジタル信号処理手段から発生するノイズを、アナログ信号処理手段で処理されるアナログ信号に混入しにくくすることができ、高品質なＭＲ画像を得ることができる。
【発明を実施するための最良の形態】
【０００７】
以下、図面を参照しながら、発明を実施するための最良の形態を詳細に説明する。尚、本発明は、発明を実施するための最良の形態に限定されるものではない。
【０００８】
（１）第１の実施形態
図１は、ＭＲＩ（Magnetic Resonance Imaging）システム１００の斜視図である。
【０００９】
ＭＲＩシステム１００は、スキャンルーム１０に配されたＭＲＩ装置１１と、スキャンルーム１０とは別のモニタルーム２０に配された信号処理装置２１とを有している。
【００１０】
ＭＲＩ装置１１は、被検体１５からのＭＲ信号を受信する受信コイル１２と、受信コイル１２からのＭＲ信号を処理する第１の信号処理部１３とを有している。第１の信号処理部１３は、処理したＭＲ信号を光信号として出力する。第１の信号処理部１３が出力した光信号は、光ケーブル３０で信号処理装置２１に伝送される。
【００１１】
信号処理装置２１は、キャビネット２２と、操作部２５とを有している。
【００１２】
キャビネット２２は、第１の信号処理部１３から出力された信号を処理する第２の信号処理部２３を有している。操作部２５は、第２の信号処理部２３に種々の指令を伝送する。
【００１３】
図２は、受信コイル１２、第１の信号処理部１３、および第２の信号処理部２３のブロック図である。
【００１４】
受信コイル１２は、ＮチャンネルCH1〜CHnのコイルである。受信コイル１２は、被検体１５からＭＲ信号Ｓmrを受け取る。受信コイル１２が受け取ったＭＲ信号Ｓmrは、各チャンネルCH1〜CHnによって、Ｎ個のアナログ電気信号A1〜Anに変換され、第１の信号処理部１３に伝送される。
【００１５】
第１の信号処理部１３は、アナログ信号処理手段１３１と、電気/光コンバータ手段１３２と、多重化手段１３３とを有している。
【００１６】
アナログ信号処理手段１３１は、受信コイル１２のＮチャンネルCH1〜CHnに対応して、Ｎ個のアナログ信号処理部AP1〜APnを有している。各アナログ信号処理部AP1〜APnは、受信コイル１２のＮチャンネルCH1〜CHnからアナログ電気信号A1〜Anを受け取り、アナログ電気信号A1〜Anをアナログ信号処理する。
【００１７】
図３は、アナログ信号処理部AP1のブロック図である。
【００１８】
アナログ信号処理部AP1は、ゲイン調整部GAと、ＲＦスイッチSWrfと、バンドバスフィルタBPFとを有している。
【００１９】
ゲイン調整部GAは、アナログ電気信号A1のゲインを調整する。バンドパスフィルタBPFは、ゲイン調整部GAでゲイン調整されたアナログ電気信号A1のうち、画像を再構成するのに必要な所定の周波数範囲に含まれる周波数成分を、アナログ電気信号Ｂ１として通過させる。
【００２０】
ＲＦスイッチSWrfは、スイッチ信号Ｓswitchに応答して、ゲイン調整部GAとバンドパスフィルタBPFとを電気的に接続又は分離する。スイッチ信号Ｓswitchが、ＲＦスイッチSWrfをオンにする信号の場合、ゲイン調整部GAとバンドパスフィルタBPFとが電気的に接続される。したがって、ゲイン調整部GAでゲイン調整されたアナログ電気信号A1は、バンドパスフィルタBPFに供給される。バンドパスフィルタBPFに供給されたアナログ電気信号A1のうち、所定の周波数範囲内に含まれる周波数成分のみがバンドパスフィルタBPFを通過し、アナログ電気信号B1として出力される。一方、スイッチ信号Ｓswitchが、ＲＦスイッチSWrfをオフにする信号の場合、ゲイン調整部GAとバンドパスフィルタBPFとが電気的に分離される。したがって、ゲイン調整部GAからバンドパスフィルタBPFへのアナログ電気信号Ａ１の供給が停止される。このように、ＲＦスイッチSWrfを備えることによって、ゲイン調整されたアナログ電気信号A1をバンドパスフィルタBPFに供給するか否かを制御することができる。
【００２１】
尚、図３では、アナログ信号処理部AP1の構成について説明されているが、残りのN-1個のアナログ信号処理部AP2〜APnの構成も、アナログ信号処理部AP1と同じであるので、残りのN-1個のアナログ信号処理部AP2〜APnの詳細な説明は省略する。アナログ信号処理部AP2〜APnは、アナログ電気信号A2〜Anを受け取り、アナログ電気信号B2〜Bnを出力する（図２参照）。
【００２２】
図２に戻って説明を続ける。
アナログ信号処理手段１３１から出力されたＮ個のアナログ電気信号B1〜Bnは、電気/光コンバータ手段１３２に入力される。
【００２３】
電気/光コンバータ手段１３２は、Ｎ個のアナログ信号処理部AP1〜APnに対応して、Ｎ個の電気/光コンバータ部EO1〜EOnを有している。
【００２４】
電気/光コンバータ部EO1〜EOnは、アナログ電気信号B1〜Bnを光信号C1〜Cnに変換する。光信号C1〜Cnは、多重化手段１３３に入力される。
【００２５】
多重化手段１３３は、光信号C1〜Cnを多重化し、多重化した光信号C1〜Cnを、多重化光信号Ｃmuxとして出力する。多重化光信号Ｃmuxは、光ケーブル３０によって、第２の信号処理部２３に入力される。
【００２６】
第２の信号処理部２３は、多重分離手段２３１と、光/電気コンバータ手段２３２と、A/Dコンバータ手段２３３と、デジタル信号処理部２３４と、画像再構成部２３５と、制御信号生成部２３６とを有している。
【００２７】
多重分離手段２３１は、多重化光信号Ｃmuxを多重分離する。この結果、多重化されたＮ個の光信号C1〜Cnは、多重化前の個々の光信号C1〜Cnに分離される。多重化分離手段２３１は、個々に分離された光信号C1〜Cnを、光/電気コンバータ手段２３２に出力する。
【００２８】
光/電気コンバータ手段２３２は、Ｎ個の光信号C1〜Cnに対応して、Ｎ個の光/電気コンバータ部OE1〜OEnを有している。
【００２９】
光/電気コンバータ部OE1〜OEnは、Ｎ個の光信号C1〜Cnをアナログ電気信号に変換する。この結果、Ｎ個の光信号C1〜Cnは、第１の信号処理部１３の電気/光コンバータ部EO1〜EOnに入力される前のアナログ電気信号B1〜Bnに復元される。光/電気コンバータ手段２３２は、アナログ電気信号B1〜BnをA/Dコンバータ手段２３３に出力する。
【００３０】
A/Dコンバータ手段２３３は、N個の光/電気コンバータ部OE1〜OEnに対応して、Ｎ個のA/Dコンバータ部AD1〜ADnを有している。
【００３１】
A/Dコンバータ部AD1〜ADnは、アナログ電気信号B1〜Bnをデジタル電気信号D1〜Dnに変換する。デジタル電気信号D1〜Dnは、デジタル信号処理部２３４に入力される。
【００３２】
デジタル信号処理部２３４は、デジタル電気信号D1〜Dnを処理し、画像再構成部２３５に出力する。
【００３３】
画像再構成部２３５は、デジタル信号処理部２３４から受け取った信号に基づいて、画像を再構成する。
【００３４】
また、第２の信号処理部２３は制御信号生成部２３６を有している。この制御信号生成部２３６は、第１の信号処理部１３のアナログ信号処理手段１３１を制御するためのｍビットのデジタル電気制御信号Ｓcontを生成し、この制御信号Ｓcontをアナログ信号処理手段１３１に出力する。制御信号Ｓcontは、ｍ本の制御線L1〜Lmによってアナログ信号処理手段１３１に伝送される。制御信号Ｓcontは、例えば、RFスイッチSWrfのオン、オフを制御するスイッチ信号Ｓswitch（図３参照）である。アナログ信号処理手段１３１は、制御信号Ｓcontに応答して、ＲＦスイッチSWrfをオン又はオフにする。
【００３５】
第１の実施形態では、アナログ信号処理手段１３１は、ＭＲＩ装置１１が有する第１の信号処理部１３に搭載されている。アナログ信号処理手段１３１を、ＭＲＩ装置１１が有する第１の信号処理部１３に搭載することによって、高品質のＭＲ画像が得られるという効果がある。このような効果が得られる理由を説明するために、以下に、アナログ信号処理手段１３１が、ＭＲＩ装置１１の第１の信号処理部１３に搭載されておらず、信号処理装置２１の第２の信号処理部２３に搭載されている場合について考察する。
【００３６】
図４は、アナログ信号処理手段１３１が、信号処理装置２１が有する第２の信号処理部２３に搭載されている場合の一例である。
【００３７】
図４では、アナログ信号処理手段１３１は、第２の信号処理部２３の光/電気コンバータ手段２３２とA/Dコンバータ手段２３３との間に搭載されているが、その他の構成については、図２と同じである。
【００３８】
図４では、光/電気コンバータ手段２３２が出力したアナログ電気信号A1〜Anは、A/Dコンバータ手段２３３に供給される前に、アナログ信号処理手段１３１に供給される。アナログ信号処理手段１３１は、アナログ電気信号A1〜Anをアナログ電気信号Ｂ１〜Ｂnに変換する。アナログ電気信号Ｂ１〜Ｂnは、A/Dコンバータ手段２３３でデジタル電気信号D1〜Dnに変換され、デジタル電気信号D1〜Dnは、デジタル信号処理手段２３４でデジタル処理される。
【００３９】
図４では、アナログ信号処理手段１３１の後段には、A/Dコンバータ手段２３３やデジタル信号処理部２３４が搭載されている。A/Dコンバータ手段２３３やデジタル信号処理部２３４など、デジタル信号を処理する回路部分は、アナログ信号のアナログ値を変動させるノイズ源になりやすい。図４では、アナログ電気信号A1〜AnやＢ１〜Ｂnは、A/Dコンバータ手段２３３やデジタル信号処理部２３４の近くに存在しているので、ノイズが混入し、本来のアナログ値から変動してしまう可能性がある。図４では、アナログ値が変動する可能性として、以下の３つの可能性（１）〜（３）が考えられる。
【００４０】
（１）アナログ電気信号A1〜Anが、光/電気コンバータ手段２３２から出力された後、アナログ処理手段１３１に入力されるまでの間に、アナログ電気信号A1〜Anにノイズが混入し、アナログ値が変動する。
（２）アナログ電気信号A1〜Anが、アナログ信号処理手段１３１でアナログ処理されている間に、アナログ電気信号A1〜Anにノイズが混入し、アナログ値が変動する。
（３）アナログ電気信号B１〜Bnが、アナログ信号処理手段１３１から出力された後、A/Dコンバータ手段２３３に入力されるまでの間に、アナログ電気信号B１〜Bnにノイズが混入し、アナログ値が変動する。
【００４１】
上記の３つの可能性（１）〜（３）が同時に生じる場合、アナログ電気信号A1〜Anのアナログ値が変動するだけでなく、アナログ処理手段１３１で処理されている間にもアナログ値が変動し、更に、アナログ電気信号B1〜Bnも変動することになる。この場合、アナログ値の変動が強調され、本来のアナログ値から大きくずれたアナログ電気信号B１〜Bnが、A/Dコンバータ手段２３３に供給される可能性がある。したがって、本来のデジタル信号を画像再構成部２３５に供給することができず、高品質なＭＲ画像を提供することが困難になるという問題がある。
【００４２】
これに対し、第１の実施形態では（図２参照）、アナログ信号処理手段１３１は、スキャンルーム１０に配されたＭＲＩ装置１１に備えられている。したがって、アナログ電気信号A1〜Anがアナログ信号処理手段１３１でアナログ処理されている間にノイズが混入ことが防止され、図４の場合よりも、高品質なＭＲ画像を得ることができる。また、第１の実施形態では、光/電気コンバータ手段２３２がA/Dコンバータ手段２３３に直に接続されているので、アナログ電気信号B1〜Bnの伝送距離を十分に短くすることができる。したがって、A/Dコンバータ手段２３３やデジタル信号処理部２３４からのノイズがアナログ電気信号B1〜Bnに混入しても、アナログ電気信号B1〜Bnの変動を十分に小さくすることができる。
【００４３】
（２）第２の実施形態
第２の実施形態の説明に当たっては、第１の実施形態との相違点について主に説明する。
図５は、第２の実施形態における受信コイル１２、第１の信号処理部１３、および第２の信号処理部２３のブロック図である。
【００４４】
第１の実施形態では、ｍビットの制御信号Ｓcontを生成する制御信号生成部２３６と、ｍ本の制御線L1〜Lmとが備えられている（図２参照）。これに対して、第２の実施形態では、ｍビットの制御信号Ｓcont’を生成する制御信号生成部２３６’と、１本の制御線L1と、シリアル／パラレル変換部１３４と、ｍ本の制御線L11〜Lm1が備えられている。
【００４５】
第２の実施形態では、制御信号生成部２３６’は、制御信号Ｓcont’のｍビットを、１ビットづつ逐次的（シリアル）に出力する。制御信号生成部２３６’から出力された各ビットは、１本の制御線L1を介して、逐次的にシリアル／パラレル変換部１３４に供給される。シリアル／パラレル変換部１３４は、シリアルに供給されたｍビットの制御信号Ｓcontをパラレル変換する。したがって、シリアル／パラレル変換部１３４から、ｍビットのパラレルの制御信号Ｓcontがアナログ信号処理部１３１に供給される。アナログ信号処理部１３１は、ｍビットのパラレルの制御信号Ｓcontによって、制御される。
【００４６】
第２の実施形態でも、第１の実施形態と同様に、アナログ信号処理手段１３１は、スキャンルーム１０に配されたＭＲＩ装置１１に備えられているので、高品質なＭＲ画像を得ることができる。
【００４７】
また、第２の実施形態では、制御信号生成部２３６’とシリアル／パラレル変換部１３４との間には、１本の制御線L1のみが配されている。したがって、第１の実施形態と比較して、制御線の数を減らすことができ、布線作業の簡素化やコストの削減が図られる。
【００４８】
（３）第３の実施形態
第３の実施形態の説明に当たっては、第２の実施形態との相違点について主に説明する。
図６は、第３の実施形態における受信コイル１２、第１の信号処理部１３、および第２の信号処理部２３のブロック図である。
【００４９】
第２の実施形態では、制御信号生成部２３６’からの制御信号Ｓcont’は、直接にシリアル／パラレル変換部１３４に供給されている（図５参照）。しかし、第３の実施形態では、制御信号生成部２３６’とシリアル／パラレル変換部１３４との間に、制御信号用電気/光コンバータ２３７と、制御信号用光/電気コンバータ１３５と、光ケーブル３１とが設けられている。
【００５０】
制御信号用電気/光コンバータ２３７は、電気制御信号Ｓcont’を光制御信号Ｓlightに変換する。光制御信号Slightは、光ケーブル３１によって、制御信号用光/電気コンバータ１３５に伝送される。制御信号用光/電気コンバータ１３５は、光制御信号Ｓlightを受け取り、光制御信号Ｓlightを、ｍビットのシリアルの電気制御信号Ｓcont’に変換する。シリアル／パラレル変換部１３４は、ｍビットのシリアルの電気制御信号Ｓcont’を、ｍビットのパラレルの電気制御信号Ｓcontに変換し、アナログ信号処理手段１３１に供給する。
【００５１】
第３の実施形態でも、アナログ信号処理手段１３１は、スキャンルーム１０に配されたＭＲＩ装置１１に備えられているので、高品質なＭＲ画像を得ることができる。
【００５２】
また、第３の実施形態では、制御信号生成部２３６’からの制御信号Ｓcont’を制御信号用電気/光コンバータ２３７で光制御信号Slightに変換し、光制御信号Slightを制御信号用光/電気コンバータ１３５で制御信号Scont’に戻している。このように、制御信号Scont’をシリアル／パラレル変換部１３４に伝送する前に、制御信号Scont’を光信号に変換してもよい。
【００５３】
尚、第３の実施形態では、光制御信号Ｓlightは、光ケーブル３１によって、制御信号用光/電気コンバータ１３５に伝送されている。しかし、多重化手段１３３と多重分離手段２３１との間の光ケーブル３０を、双方向に光信号を伝送することが可能な双方向光ケーブルにすることによって、光制御信号Slightを、光ケーブル３０を介して、制御信号用光/電気コンバータ１３５に伝送することができる。この場合、光制御信号Ｓlightを伝送するための光ケーブル３１は不要となるので、布線作業の簡素化やコストの削減が図られる。
【００５４】
上記の第１〜第３の実施形態（１）〜（３）では、ｎ個の光信号C1〜Cnを一つの多重化信号Cmuxに多重化しているが、ｎ個の光信号C1〜Cnをｍ（ｍ＜ｎ）個の多重化信号Cmux’に分けて多重化してもよい。ｍ個の多重化信号Cmux’を伝送する場合は、多重化手段１３３と多重分離手段２３１との間に、ｍ本の光ケーブルを備えればよい。
【００５５】
また、上記の第１〜第３の実施形態（１）〜（３）では、制御信号Ｓcontの例として、RFスイッチSWrfのオン、オフを制御するスイッチ信号Ｓswitch（図３参照）が示されている。しかし、制御信号Scontは、スイッチ信号Ｓswitchではなく、ゲイン調整部ＧＡを制御するゲイン調整部制御信号や、バンドパスフィルタＢＰＦを制御するフィルタ制御信号であってもよい。また、制御信号Scontは、スイッチ信号Sswitch、ゲイン調整部制御信号、およびフィルタ制御信号の組合せであってもよい。
【００５６】
また、上記の第１〜第３の実施形態（１）〜（３）では、アナログ信号処理部AP1〜APnは、図３に示すような回路構成を有している。しかし、アナログ信号処理部AP1〜APnは、図３の回路構成とは異なる別の回路構成を有していてもよい。
【図面の簡単な説明】
【００５７】
【図１】ＭＲＩシステム１００の斜視図である。
【図２】受信コイル１２、第１の信号処理部１３、および第２の信号処理部２３のブロック図である。
【図３】アナログ信号処理部AP1のブロック図である。
【図４】アナログ信号処理手段１３１が、信号処理装置２１が有する第２の信号処理部２３に搭載されている場合の一例である。
【図５】第２の実施形態における受信コイル１２、第１の信号処理部１３、および第２の信号処理部２３のブロック図である。
【図６】第３の実施形態における受信コイル１２、第１の信号処理部１３、および第２の信号処理部２３のブロック図である。
【符号の説明】
【００５８】
１０  スキャンルーム
１１  ＭＲＩ装置
１２  受信コイル
１３  第１の信号処理部
１５  被検体
２０  モニタールーム
２１  信号処理装置
２２  キャビネット
２３  第２の信号処理装置
２５  操作部
３０  ３１  光ケーブル
１００  ＭＲＩシステム
１３１  アナログ信号処理手段
１３２  電気/光コンバータ手段
１３３  多重化手段
１３４  シリアル／パラレル変換部
１３５  制御信号用光/電気コンバータ
２３１  多重分離手段
２３２  光/電気コンバータ手段
２３３  A/Dコンバータ部
２３４  デジタル信号処理部
２３５  画像再構成部
２３６  制御信号生成部
２３７  制御信号用電気/光コンバータ
【図１】
2009261700.tif 000003
【図２】
2009261700.tif 000004
【図３】
2009261700.tif 000005
【図４】
2009261700.tif 000006
【図５】
2009261700.tif 000007
【図６】
2009261700.tif 000008